(57)【要約】【課題】所定の順番に並べられた複数の画像を表示できる新規な情報処理装置を提供する。または、新規な情報表示方法を提供する。または、新規なプログラムを提供する。【解決手段】操作命令を供給する入出力装置と、操作命令に基づいて起点情報を決定し、起点情報を用いて画像情報を生成する演算装置と、画像情報を表示する表示部と、を有する構成に想到した。【選択図】図１
2019185830.tif 000002
【特許請求の範囲】
【請求項１】
情報処理装置であって、
操作命令および検知情報を供給し、画像情報を供給される、入出力装置と、
前記操作命令および前記検知情報を供給され、前記画像情報を供給する演算装置と、
帯状であり、第１の辺に第１の係り止め具を備え、前記第１の辺と対向する第２の辺に第２の係り止め具を備えた、筐体と、
前記第１の係り止め具又は前記第２の係り止め具の近傍に加速度センサを有し、
前記第１の係り止め具と前記第２の係り止め具とが連結することで、前記筐体を環状にすることができ、
前記入出力装置は、前記操作命令を供給する入力部および前記検知情報を供給する検知部並びに前記画像情報を供給され前記画像情報を表示する表示部を備え、
前記表示部は、前記情報処理装置の環状の筐体に沿って設けられ、
前記演算装置は、
演算部および前記演算部に実行させるプログラムを記憶する記憶部を備え、
所定の数の画像を選択し、前記環状の筐体に沿う方向に対して所定の順番で配置した前記画像情報を生成し、
前記プログラムは、
初期画像情報を生成する第１のステップと、
割り込み処理を許可する第２のステップと、
前記画像情報を表示する第３のステップと、
前記割り込み処理において、終了命令が供給された場合は第５のステップに進み、供給されなかった場合は第３のステップに進む第４のステップと、
終了する第５のステップと、を含み、
前記割り込み処理は、
前記操作命令が供給された場合は、第７のステップに進み、供給されない場合は第８のステップに進む第６のステップと、
前記操作命令に基づいて起点情報を更新する第７のステップと、
前記検知情報が供給された場合は、第１０のステップに進み、供給されない場合は第９のステップに進む第８のステップと、
前記検知情報に基づいて前記起点情報を更新する第９のステップと、
前記起点情報が更新された場合は、第１１のステップに進み、更新されない場合は第１３のステップに進む第１０のステップと、
前記起点情報に基づいて所定の数の画像を選択する第１１のステップと、
前記画像を含む画像情報を生成する第１２のステップと、
割り込み処理から復帰する第１３のステップと、を含む、情報処理装置。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、半導体装置、表示装置、発光装置、蓄電装置、それらの駆動方法、
または、それらの製造方法に関する。特に、本発明は、例えば情報処理装置、プログラム
または情報処理方法に関する。
【背景技術】
【０００２】
情報伝達手段に係る社会基盤が充実されている。これにより、多様で潤沢な情報を職場や
自宅だけでなく外出先でも情報処理装置を用いて取得、加工または発信できるようになっ
ている。
【０００３】
このような背景において、携帯可能な情報処理装置が盛んに開発されている。
【０００４】
例えば、携帯可能な情報処理装置は屋外で使用されることが多く、落下により思わぬ力が
情報処理装置およびそれに用いられる表示装置に加わることがある。破壊されにくい表示
装置の一例として、発光層を分離する構造体と第２の電極層との密着性が高められた構成
が知られている（特許文献１）。
【先行技術文献】
【特許文献】
【０００５】
【特許文献１】特開２０１２−１９０７９４号公報
【発明の概要】
【発明が解決しようとする課題】
【０００６】
本発明の一態様は、新規な情報処理装置を提供することを課題の一とする。または、新規
な情報表示方法を提供することを課題の一とする。または、本発明の一態様は、起点情報
に基づいて複数の画像から選択された複数の画像を表示部に所定の順番で表示することを
課題の一とする。または、本発明の一態様は、所定の順番に並べられた複数の画像を表示
することを課題の一とする。
【０００７】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００８】
本発明の一態様は、操作命令を供給し、画像情報を供給される、入出力装置と、操作命令
を供給され、画像情報を供給する演算装置と、を有する情報処理装置である。
【０００９】
そして、入出力装置は、操作命令を供給する入力部および画像情報を供給され画像情報を
表示する表示部を備える。また、演算装置は、操作命令に基づいて起点情報を決定し、起
点情報に基づいて複数の画像を選択し且つ所定の順番で配置して画像情報を生成する。
【００１０】
また、本発明の一態様は、操作命令を供給し、画像情報を供給される、入出力装置と、操
作命令を供給され、画像情報を供給する演算装置と、を有する情報処理装置である。
【００１１】
そして、入出力装置は、操作命令を供給する入力部および画像情報を供給され画像情報を
表示する表示部を備える。また、演算装置は、演算部および演算部に実行させるプログラ
ムを記憶する記憶部を備える。
【００１２】
また、プログラムは、初期画像情報を生成する第１のステップと、割り込み処理を許可す
る第２のステップと、画像情報を表示する第３のステップと、割り込み処理において終了
命令が供給されたかどうかを判断する第４のステップと、終了する第５のステップと、を
含む。第４のステップにおいて、終了命令が供給された場合はプログラムは第５のステッ
プに進み、供給されなかった場合は第３のステップに進む。
【００１３】
また、割り込み処理は、操作命令が供給されたかどうかを判断する第６のステップと、操
作命令に基づいて起点情報を更新する第７のステップと、起点情報に基づいて所定の数の
画像を選択する第８のステップと、画像を含む画像情報を生成する第９のステップと、割
り込み処理から復帰する第１０のステップと、を含む。第６のステップにおいて、操作命
令が供給された場合は、第７のステップに進み、供給されない場合は第１０のステップに
進む。
【００１４】
上記本発明の一態様の情報処理装置は、操作命令を供給する入出力装置と、操作命令に基
づいて起点情報を決定し、起点情報を用いて画像情報を生成する演算装置と、画像情報を
表示する表示部と、を含んで構成される。これにより、起点情報に基づいて複数の画像か
ら選択された複数の画像を表示部に所定の順番で表示することができる。その結果、所定
の順番に並べられた複数の画像を表示できる新規な情報処理装置を提供することができる
。または、新規な情報表示方法を提供することができる。または、新規なプログラムを提
供することができる。
【００１５】
また、本発明の一態様は、検知情報を供給し、画像情報を供給される、入出力装置と、検
知情報を供給され、画像情報を供給する演算装置と、を有する情報処理装置である。
【００１６】
そして、入出力装置は、検知情報を供給する検知部および画像情報を供給され画像情報を
表示する表示部を備える。また、演算装置は、検知情報に基づいて起点情報を決定し、起
点情報に基づいて複数の画像を選択し且つ所定の順番で配置して画像情報を生成する。
【００１７】
また、本発明の一態様は、検知情報を供給し、画像情報を供給される、入出力装置と、検
知情報を供給され、画像情報を供給する演算装置と、を有する情報処理装置である。
【００１８】
そして、入出力装置は、検知情報を供給する検知部および画像情報を供給され画像情報を
表示する表示部を備える。また、演算装置は、演算部および演算部に実行させるプログラ
ムを記憶する記憶部を備える。
【００１９】
プログラムは、初期画像情報を生成する第１のステップと、割り込み処理を許可する第２
のステップと、画像情報を表示する第３のステップと、割り込み処理において、終了命令
が供給されたかどうかを判断する第４のステップと、終了する第５のステップと、を含む
。第４のステップにおいて、終了命令が供給された場合は第５のステップに進み、供給さ
れなかった場合は第３のステップに進む。
【００２０】
割り込み処理は、検知情報が供給されたかどうかを判断する第６のステップと、検知情報
に基づいて起点情報を更新する第７のステップと、起点情報に基づいて所定の数の画像を
選択する第８のステップと、画像を含む画像情報を生成する第９のステップと、割り込み
処理から復帰する第１０のステップと、を含む。第６のステップにおいて、検知情報が供
給された場合は、第７のステップに進み、供給されない場合は第１０のステップに進む。
【００２１】
上記本発明の一態様の情報処理装置は、検知情報を供給する入出力装置と、検知情報に基
づいて起点情報を決定し、起点情報を用いて画像情報を生成する演算装置と、画像情報を
表示する表示部と、を含んで構成される。これにより、起点情報に基づいて複数の画像か
ら選択された複数の画像を表示部に所定の順番で表示することができる。その結果、所定
の順番に並べられた複数の画像を表示できる新規な情報処理装置を提供することができる
。または、新規な情報表示方法を提供することができる。または、新規なプログラムを提
供することができる。
【００２２】
また、本発明の一態様は、操作命令および検知情報を供給し、画像情報を供給される、入
出力装置と、操作命令および検知情報を供給され、画像情報を供給する演算装置と、を有
する情報処理装置である。
【００２３】
そして、入出力装置は、操作命令を供給する入力部および検知情報を供給する検知部並び
に画像情報を供給され画像情報を表示する表示部を備える。また、演算装置は、操作命令
および検知情報に基づいて起点情報を決定し、起点情報に基づいて複数の画像を選択し且
つ所定の順番で配置して画像情報を生成する。
【００２４】
また、本発明の一態様は、操作命令および検知情報を供給し、画像情報を供給される、入
出力装置と、操作命令および検知情報を供給され、画像情報を供給する演算装置と、を有
する情報処理装置である。
【００２５】
そして、入出力装置は、操作命令を供給する入力部および検知情報を供給する検知部並び
に画像情報を供給され画像情報を表示する表示部を備える。また、演算装置は、演算部お
よび演算部に実行させるプログラムを記憶する記憶部を備える。
【００２６】
プログラムは、初期画像情報を生成する第１のステップと、割り込み処理を許可する第２
のステップと、画像情報を表示する第３のステップと、割り込み処理において、終了命令
が供給されたかどうかを判断する第４のステップと、終了する第５のステップと、を含む
。第４のステップにおいて、終了命令が供給された場合は第５のステップに進み、供給さ
れなかった場合は第３のステップに進む。
【００２７】
割り込み処理は、操作命令が供給されたかどうかを判断する第６のステップと、操作命令
に基づいて起点情報を更新する第７のステップと、検知情報が供給されたかどうかを判断
する第８のステップと、検知情報に基づいて起点情報を更新する第９のステップと、起点
情報が更新されたかどうかを判断する第１０のステップと、起点情報に基づいて所定の数
の画像を選択する第１１のステップと、画像を含む画像情報を生成する第１２のステップ
と、割り込み処理から復帰する第１３のステップと、を含む。第６のステップにおいて、
操作命令が供給された場合は、第７のステップに進み、供給されない場合は第８のステッ
プに進む。第８のステップにおいて、検知情報が供給された場合は、第１０のステップに
進み、供給されない場合は第９のステップに進む。第１０のステップにおいて、起点情報
が更新された場合は、第１１のステップに進み、更新されない場合は第１３のステップに
進む。
【００２８】
上記本発明の一態様の情報処理装置は、入力部が供給する操作命令および／または検知部
が供給する検知情報に基づいて起点情報を決定し且つ起点情報に基づいて画像情報を生成
する演算装置と、画像情報を表示する表示部と、を含んで構成される。これにより、起点
情報に基づいて複数の画像から選択された複数の画像を表示部に所定の順番で表示するこ
とができる。その結果、所定の順番に並べられた複数の画像を表示できる新規な情報処理
装置を提供することができる。または、新規な情報表示方法を提供することができる。ま
たは、新規なプログラムを提供することができる。
【００２９】
また、本発明の一態様は、表示部が可撓性を備える、上記の情報処理装置である。
【００３０】
また、本発明の一態様は、表示部が配置され、環状にすることができる筐体を有する、上
記の情報処理装置である。
【００３１】
上記本発明の一態様の情報処理装置は、環状の筐体に配置された表示部を含んで構成され
る。これにより、起点情報に基づいて複数の画像から選択された複数の画像を環状の筐体
に沿って配置された表示部に所定の順番で表示することができる。その結果、所定の順番
に並べられた複数の画像を表示できる新規な情報処理装置を提供することができる。また
は、新規な情報表示方法を提供することができる。
【発明の効果】
【００３２】
本発明の一態様によれば、新規な情報処理装置を提供することができる。または、新規な
情報表示方法を提供することができる。
【図面の簡単な説明】
【００３３】
【図１】実施の形態に係る情報処理装置の構成を説明するブロック図。
【図２】実施の形態に係る情報処理装置の演算部に画像を生成させる方法を説明するフロー図。
【図３】実施の形態に係る情報処理装置の画像を演算部に選択させる方法および生成させた画像を説明する模式図。
【図４】実施の形態に係る情報処理装置の演算部に実行させるプログラムを説明するフロー図。
【図５】実施の形態に係る情報処理装置の演算部に実行させるプログラムを説明するフロー図。
【図６】実施の形態に係る情報処理装置の演算部に実行させるプログラムを説明するフロー図。
【図７】実施の形態に係る情報処理装置の構成および演算部に画像を生成させる方法を説明する模式図。
【図８】実施の形態に係る情報処理装置の演算部に画像を生成させる方法を説明する模式図。
【図９】実施の形態に係る表示装置に適用可能な表示パネルの構成を説明する図。
【図１０】実施の形態に係る表示パネルに適用可能な表示パネルの構成を説明する図。
【図１１】実施の形態に係る表示パネルに適用可能な表示パネルの構成を説明する図。
【発明を実施するための形態】
【００３４】
本発明の一態様の情報処理装置は、操作命令を供給する入出力装置と、操作命令に基づい
て起点情報を決定し、起点情報を用いて画像情報を生成する演算装置と、画像情報を表示
する表示部と、を含んで構成される。
【００３５】
これにより、起点情報に基づいて複数の画像から選択された複数の画像を所定の順番で表
示部に表示することができる。その結果、所定の順番に並べられた複数の画像を表示でき
る新規な情報処理装置を提供することができる。または、新規な情報表示方法を提供する
ことができる。または、新規なプログラムを提供することができる。
【００３６】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００３７】
（実施の形態１）
本実施の形態では、本発明の一態様の情報処理装置の構成について、図１乃至図５を参照
しながら説明する。
【００３８】
図１は本発明の一態様の情報処理装置の構成を説明するブロック図である。
【００３９】
図２は本発明の一態様の情報処理装置が画像を生成する方法を説明するフロー図である。
【００４０】
図３（Ａ−１）および図３（Ｂ−１）は本発明の一態様の情報処理装置が複数の画像から
画像を選択する方法を説明する模式図であり、図３（Ａ−２）および図３（Ｂ−２）は本
発明の一態様の情報処理装置が生成する画像を説明する模式図である。
【００４１】
図４および図５は本発明の一態様の情報処理装置が有する演算装置の演算部に実行させる
プログラムを説明するフロー図である。
【００４２】
＜情報処理装置の構成例１＞
本実施の形態で説明する情報処理装置１００は、操作命令ＯＰＥを供給し画像情報ＶＩＤ
ＥＯを供給される入出力装置１２０と、操作命令ＯＰＥを供給され画像情報ＶＩＤＥＯを
供給する演算装置１１０と、を有する（図１参照）。
【００４３】
入出力装置１２０は、操作命令ＯＰＥを供給する入力部１４０および画像情報ＶＩＤＥＯ
を供給され画像情報ＶＩＤＥＯを表示する表示部１３０を備える。
【００４４】
演算装置１１０は、操作命令ＯＰＥに基づいて起点情報を決定し、起点情報に基づいて複
数の画像を選択し且つ所定の順番で配置して画像情報ＶＩＤＥＯを生成する。
【００４５】
情報処理装置１００は、操作命令ＯＰＥを供給する入出力装置１２０と、操作命令ＯＰＥ
に基づいて起点情報を決定し、起点情報を用いて画像情報ＶＩＤＥＯを生成する演算装置
１１０と、画像情報ＶＩＤＥＯを表示する表示部１３０と、を含んで構成される。これに
より、起点情報に基づいて複数の画像から選択された複数の画像を表示部１３０に所定の
順番で表示することができる。その結果、所定の順番に並べられた複数の画像を表示でき
る新規な情報処理装置を提供することができる。または、新規な情報表示方法を提供する
ことができる。または、新規なプログラムを提供することができる。
【００４６】
なお、入出力装置１２０は、検知情報ＳＥＮＳを供給する検知部１５０および情報ＣＯＭ
Ｕを供給または供給される通信部１６０を備えていてもよい。
【００４７】
演算装置１１０は、演算部１１１、記憶部１１２、伝送路１１４および入出力インターフ
ェース１１５を備える。
【００４８】
以下に、情報処理装置１００を構成する個々の要素について説明する。なお、これらの構
成は明確に分離できず、一つの構成が他の構成を兼ねる場合や他の構成の一部を含む場合
がある。
【００４９】
例えばタッチパネルが重ねられた表示パネルは、入力部１４０であるとともに表示部１３
０でもある。
【００５０】
《全体の構成》
情報処理装置１００は、入出力装置１２０と演算装置１１０を有する。
【００５１】
《入出力装置》
入出力装置１２０は、操作命令ＯＰＥを供給し、画像情報ＶＩＤＥＯを供給される。
【００５２】
入出力装置１２０は、入力部１４０と表示部１３０を有する。
【００５３】
また、検知部１５０および通信部１６０を備えていてもよい。
【００５４】
《操作命令》
操作命令ＯＰＥは、入出力装置１２０が供給する情報または信号であり、演算部１１１に
実行させる所定の処理とあらかじめ関連付けられる。
【００５５】
例えば、操作命令ＯＰＥは、プログラムを実行させる命令、プログラムを終了させる命令
または実行中のプログラムが使用する条件もしくは値を供給する命令等に関連付けられる
。
【００５６】
具体的には、起点情報を供給する命令、起点情報を更新させる命令、供給された座標情報
等に基づいて起点情報を決定させる命令等が操作命令ＯＰＥに含まれる。
【００５７】
《入力部》
入力部１４０は、操作命令ＯＰＥを供給する。
【００５８】
さまざまなヒューマンインターフェイス等を入力部１４０に適用できる。
【００５９】
例えば、キーボード、マウス、タッチセンサ、マイクまたはカメラ等を入力部１４０に適
用できる。
【００６０】
特に、ポインタを用いてする操作は、直観的に理解しやすいため便利である。以下に、複
数のタッチセンサを有するタッチパネルを入力部１４０に適用する場合について説明する
。
【００６１】
情報処理装置１００の使用者は、タッチパネルに触れた指をポインタに用いて様々なジェ
スチャー（タップ、ドラッグ、スワイプまたはピンチイン等）をすることができる。
【００６２】
タッチパネルに接触する指の位置または軌跡等の情報を、例えば演算装置１１０は解析し
、所定の条件を満たすときに特定のジェスチャーが供給されたとすることができる。
【００６３】
あらかじめ所定のジェスチャーに所定の操作命令ＯＰＥを関連付けておくことにより、使
用者はジェスチャーを用いて操作命令ＯＰＥを供給できる。
【００６４】
例えば、起点情報の値を１だけ増減する命令と関連付けられたジェスチャーや起点情報の
値を１０だけ増減する命令と関連付けられたジェスチャーを定めておくことができる。
【００６５】
《表示部》
表示部１３０は、処理された結果を表示する。情報処理装置１００の使用者は、その表示
を見て処理された結果を認知する。
【００６６】
表示部１３０は表示素子を備える。例えば、液晶素子、発光ダイオード、有機エレクトロ
ルミネッセンス素子の他、電気泳動方式や電子粉流体方式などにより表示を行う表示素子
（電子インクともいう）、シャッター方式のＭＥＭＳ表示素子、光干渉方式のＭＥＭＳ表
示素子など、様々な表示素子を用いることができる。
【００６７】
なお、表示部１３０に適用可能な具体的な構成例を、実施の形態５および実施の形態６に
記載して説明する。
【００６８】
《検知部》
検知部１５０は、情報処理装置１００または／およびその周囲の状態を検知して検知情報
ＳＥＮＳを供給する。
【００６９】
検知部１５０は、例えば加速度センサ１５１を備える。また、方位、圧力、ＧＰＳ（Ｇｌ
ｏｂａｌ  ｐｏｓｉｔｉｏｎｉｎｇ  Ｓｙｓｔｅｍ）信号、温度または湿度等を検知する
センサを備えてもよい。そして、検知した情報を含む検知情報ＳＥＮＳを供給してもよい
。
【００７０】
《通信部》
通信部１６０は、情報ＣＯＭＵを供給または供給される。
【００７１】
例えば、通信部１６０は、情報ＣＯＭＵを情報処理装置１００の外部の機器または通信網
に供給できる。また、外部の機器または通信網の情報ＣＯＭＵを演算装置１１０に供給で
きる。
【００７２】
情報ＣＯＭＵは例えば、画像、文章、音楽の他操作命令等を含むことができる。具体的に
は、表示部１３０に表示する画像情報ＶＩＤＥＯを生成させる命令、消去等させる命令等
を含むことができる。
【００７３】
具体的には、ハブ、ルータまたはモデム等を通信部１６０に適用できる。なお、有線によ
る接続方法に限らず、無線（例えば電波または赤外線等）を接続方法に適用できる。
【００７４】
《演算装置》
演算装置１１０は、操作命令ＯＰＥが供給され、画像情報ＶＩＤＥＯを供給する。
【００７５】
演算装置１１０は、操作命令ＯＰＥに基づいて起点情報を決定する。次いで、起点情報に
基づいて複数の画像を選択する。次いで、選択した複数の画像を所定の順番で配置して画
像情報ＶＩＤＥＯを生成する。
【００７６】
例えば、演算装置１１０は、Ｐ個から選択したＲ個の画像を所定の順番で配置して画像情
報ＶＩＤＥＯを生成する。
【００７７】
演算装置１１０は、演算部１１１、記憶部１１２、入出力インターフェース１１５および
伝送路１１４を有する。
【００７８】
《演算部》
演算部１１１は、記憶部１１２が記憶するプログラムに記された命令等を実行する。例え
ば、プログラムを実行し、操作命令ＯＰＥに基づいて画像情報ＶＩＤＥＯを生成する。
【００７９】
《プログラムの例》
１からＰまでの番号と関連付けられたＰ個の画像から、番号Ｑと関連付けられた画像から
番号（Ｑ＋Ｒ−１）と関連付けられた画像まで合計Ｒ個の画像を選択し、選択した画像が
番号順に配置された画像情報ＶＩＤＥＯを生成するプログラムを説明する（図２および図
３参照）。
【００８０】
なお、Ｐ、ＱおよびＲはいずれも２以上の自然数であり、ＱはＰ以下であり且つＲはＰよ
り小さいとする。また、本実施の形態では、Ｑを起点情報とする。
【００８１】
具体的には、第１のステップにおいて、Ｑを操作命令ＯＰＥに基づいて決定する（図２（
Ｚ１）、図３（Ａ−１）および図３（Ｂ−１）参照）。
【００８２】
例えば、キーボード等を用いてＱの値を供給し決定する操作命令ＯＰＥを供給してもよい
。または、タッチパネル等が検知する指の座標を操作命令ＯＰＥに用いてＱを決定しても
よいし、タッチパネルが検知する指の移動速度を操作命令ＯＰＥに用いてＱを決定しても
よい。また、タッチパネルに接触する指を移動する方向毎に異なる操作命令を関連付ける
ことができる。
【００８３】
また、ジェスチャーを用いてＱの値を供給し決定する操作命令ＯＰＥを供給してもよい。
具体的には、タッチパネルに触れた指をポインタに用いてするジェスチャー（タップ、ド
ラッグ、スワイプまたはピンチイン等）をタッチパネルが検知して、操作命令ＯＰＥを供
給することができる。なお、入力部１４０がそれに接触する指等の座標情報を供給し、演
算装置１１０が供給された座標情報を解析し且つその結果を操作命令ＯＰＥに関連付けて
もよい。
【００８４】
例えば、タッチパネルに沿って指を上方向に動かすジェスチャーをＱの値を１だけ増やす
命令に関連付け、下方向に動かすジェスチャーをＱの値を１だけ減らす命令に関連付けて
もよい。これにより、画像をスクロールすることができる。
【００８５】
例えば、タッチパネルに沿って指を右方向に動かすジェスチャーをＱの値を１０だけ増や
す命令に関連付け、左方向に動かすジェスチャーをＱの値を１０だけ減らす命令に関連付
けてもよい。
【００８６】
例えば、タッチパネルに沿って指を右方向に動かすジェスチャーを、標識が付与された所
定の値のうち最も近い値にＱの値を増やして飛び移る命令に関連付け、タッチパネルに沿
って指を左方向に動かすジェスチャーを、標識が付与された所定の値のうち最も近い値に
Ｑの値を減らして飛び移る命令に関連付けてもよい。これにより、所定の標識が付与され
た画像にジャンプして表示することができる。
【００８７】
第２のステップにおいて、（Ｑ＋Ｒ−１）がＰ以下である場合は第３のステップに進み、
Ｐより大きい場合は第４のステップに進む（図２（Ｚ２））。
【００８８】
第３のステップにおいて、Ｑに関連付けられた画像から番号（Ｑ＋Ｒ−１）に関連付けら
れた画像までを順番に、１からＲまでの序数と関連付ける（図２（Ｚ３）および図３（Ａ
−１））。
【００８９】
第４のステップにおいて、Ｑに関連付けられた画像から番号Ｐに関連付けられた画像まで
を順番に１から（Ｐ−Ｑ＋１）までの序数と関連付け、番号１に関連付けられた画像から
番号（Ｑ＋Ｒ−１−Ｐ）に関連付けられた画像までを順番に（Ｐ−Ｑ＋２）からＲまでの
序数と関連付ける（図２（Ｚ４）および図３（Ｂ−１））。
【００９０】
第５のステップにおいて、序数１に関連付けられた画像から序数Ｒに関連付けられた画像
まで順番に配置して、画像情報ＶＩＤＥＯを生成する（図２（Ｚ５））。
【００９１】
第６のステップにおいて、終了する（図２（Ｚ６））。
【００９２】
なお、（Ｑ＋Ｒ−１）がＰ以下である場合の画像情報ＶＩＤＥＯを表示部１３０に表示し
た結果を図３（Ａ−２）に、（Ｑ＋Ｒ−１）がＰより大きい場合の画像情報ＶＩＤＥＯを
表示部１３０に表示した結果を図３（Ｂ−２）に示す。
【００９３】
《記憶部》
記憶部１１２は、演算部１１１に実行させるプログラムを記憶する。
【００９４】
具体的には、マスクＲＯＭ、ＯＴＰ−ＲＯＭ、ＵＶ−ＥＰＲＯＭ、ＥＥＰＲＯＭ、フラッ
シュＲＯＭまたはハードディスク等を、記憶部１１２に適用できる。
【００９５】
なお、書き換え可能な記憶部１１２を適用すると、情報処理装置１００の使用者は電気通
信回線等から取得したプログラムを記憶部１１２に書き込むことができる。
【００９６】
《入出力インターフェース・伝送路》
入出力インターフェース１１５は、情報を供給または供給される。伝送路１１４は、情報
を供給し情報を供給される。
【００９７】
＜情報処理装置の構成例２．＞
本発明の一態様の情報処理装置の別の構成について、図１、図４および図５（Ａ）を参照
しながら説明する。
【００９８】
図４および図５（Ａ）は本発明の一態様の情報処理装置１００が有する演算装置１１０の
演算部１１１に実行させるプログラムを説明するフロー図である。
【００９９】
本実施の形態で説明する情報処理装置１００は、操作命令ＯＰＥを供給し、画像情報ＶＩ
ＤＥＯを供給される、入出力装置１２０と、操作命令ＯＰＥを供給され、画像情報ＶＩＤ
ＥＯを供給する演算装置１１０と、を有する（図１参照）。
【０１００】
入出力装置１２０は、操作命令ＯＰＥを供給する入力部１４０および画像情報ＶＩＤＥＯ
を供給され画像情報ＶＩＤＥＯを表示する表示部１３０を備える。
【０１０１】
演算装置１１０は、演算部１１１および演算部１１１に実行させるプログラムを記憶する
記憶部１１２を備える。
【０１０２】
ここでは、情報処理装置１００が有する演算装置１１０の記憶部１１２が記憶する、演算
部１１１に実行させるプログラムについて詳細に説明し、他の構成は上記の説明を援用す
る。
【０１０３】
《プログラムの例》
ここでは、記憶部１１２が記憶するプログラムの一例を説明する。
【０１０４】
第１のステップにおいて、初期画像情報を生成する（図４（Ｓ１））。
【０１０５】
第２のステップにおいて、割り込み処理を許可する（図４（Ｓ２））。なお、割り込み処
理が許可された演算部１１１は、割り込み処理についての実行命令を受けつけることがで
きる。そして、割り込み処理についての実行命令を受けつけた演算部１１１は、主の処理
を中断し、割り込み処理を実行する。例えば、割り込み処理についての実行命令に関連付
けられたイベントを供給された演算部１１１は、割り込み処理を実行し、実行結果を記憶
部１１２に格納することができる。これにより、割り込み処理から主の処理に復帰した際
に、演算部１１１は、割り込み処理の実行結果に基づいて主の処理を実行することができ
る。
【０１０６】
第３のステップにおいて、画像情報を表示する（図４（Ｓ３））。
【０１０７】
第４のステップにおいて、割り込み処理において、終了命令が供給された場合は第５のス
テップに進み、供給されなかった場合は第３のステップに進む（図４（Ｓ４））。
【０１０８】
第５のステップにおいて、処理を終了する（図４（Ｓ５））。
【０１０９】
また、割り込み処理は下記のステップを具備する。
【０１１０】
第６のステップにおいて、操作命令が供給された場合は、第７のステップに進み、供給さ
れない場合は第１０のステップに進む（図５（Ａ）（Ｔ６））。
【０１１１】
例えば、起点情報をＱ（１）からＱ（２）に更新する操作命令ＯＰＥが供給された場合、
第７のステップに進む。
【０１１２】
第７のステップにおいて、操作命令に基づいて起点情報を更新する（図５（Ａ）（Ｔ７）
）。
【０１１３】
例えば、起点情報をＱ（１）からＱ（２）に更新する。
【０１１４】
第８のステップにおいて、更新された起点情報に基づいて所定の数の画像を選択する（図
５（Ａ）（Ｔ８））。
【０１１５】
例えば、Ｑ（２）に関連付けられた画像から順番に番号（Ｑ（２）＋Ｒ）に関連付けられ
た画像までを選択し、順番に１からＲまでの序数と関連付ける。
【０１１６】
第９のステップにおいて、選択された画像を含む画像情報を生成する（図５（Ａ）（Ｔ９
））。
【０１１７】
例えば、序数１に関連付けられた画像から序数Ｒに関連付けられた画像まで順番に配置し
て、画像情報ＶＩＤＥＯを生成する。
【０１１８】
例えば、序数１に関連付けられた画像を常に表示部１３０の上端に配置するように画像情
報ＶＩＤＥＯを生成することができる。この場合、Ｑ（１）からＱ（２）に更新されるこ
とにより、表示部１３０の上端にＱ（１）に関連付けられた画像を表示するための画像情
報ＶＩＤＥＯから、表示部１３０の上端にＱ（２）に関連付けられた画像が表示される画
像情報ＶＩＤＥＯに更新される。
【０１１９】
または、序数１に関連付けられた画像、言い換えればＱに関連付けられた画像を表示する
位置を指定する操作命令を供給してもよい。
【０１２０】
第１０のステップにおいて、割り込み処理から復帰する（図５（Ａ）（Ｔ１０））。
【０１２１】
情報処理装置１００は、操作命令ＯＰＥを供給する入出力装置１２０と、操作命令ＯＰＥ
に基づいて起点情報を決定し、起点情報を用いて画像情報ＶＩＤＥＯを生成する演算装置
１１０と、画像情報ＶＩＤＥＯを表示する表示部１３０と、を含んで構成される。これに
より、起点情報に基づいて複数の画像から選択された複数の画像を表示部１３０に所定の
順番で表示することができる。その結果、所定の順番に並べられた複数の画像を表示でき
る新規な情報処理装置を提供することができる。または、新規な情報表示方法を提供する
ことができる。または、新規なプログラムを提供することができる。
【０１２２】
なお、本実施の形態は、本明細書で示す他の実施の形態と適宜組み合わせることができる
。
【０１２３】
（実施の形態２）
本実施の形態では、本発明の一態様の情報処理装置の構成について、図１乃至図５を参照
しながら説明する。
【０１２４】
＜情報処理装置の構成例１＞
本実施の形態で説明する情報処理装置１００は、検知情報ＳＥＮＳを供給し、画像情報Ｖ
ＩＤＥＯを供給される、入出力装置１２０と、検知情報ＳＥＮＳを供給され、画像情報Ｖ
ＩＤＥＯを供給する演算装置１１０と、を有する。
【０１２５】
入出力装置１２０は、検知情報ＳＥＮＳを供給する検知部１５０および画像情報ＶＩＤＥ
Ｏを供給され画像情報ＶＩＤＥＯを表示する表示部１３０を備える。
【０１２６】
演算装置１１０は、検知情報ＳＥＮＳに基づいて起点情報を決定し、起点情報に基づいて
複数の画像を選択し且つ所定の順番で配置して画像情報ＶＩＤＥＯを生成する。
【０１２７】
情報処理装置１００は、検知情報ＳＥＮＳを供給する入出力装置１２０と、検知情報ＳＥ
ＮＳに基づいて起点情報を決定し、起点情報を用いて画像情報ＶＩＤＥＯを生成する演算
装置１１０と、画像情報ＶＩＤＥＯを表示する表示部１３０と、を含んで構成される。こ
れにより、起点情報に基づいて複数の画像から選択された複数の画像を表示部１３０に所
定の順番で表示することができる。その結果、所定の順番に並べられた複数の画像を表示
できる新規な情報処理装置を提供することができる。または、新規な情報表示方法を提供
することができる。
【０１２８】
なお、入出力装置１２０は、操作命令ＯＰＥを供給する入力部１４０および情報ＣＯＭＵ
を供給または供給される通信部１６０を備えていてもよい。
【０１２９】
演算装置１１０は、演算部１１１、記憶部１１２、伝送路１１４および入出力インターフ
ェース１１５を備える。
【０１３０】
以下に、情報処理装置１００を構成する個々の要素について説明する。なお、これらの構
成は明確に分離できず、一つの構成が他の構成を兼ねる場合や他の構成の一部を含む場合
がある。
【０１３１】
例えばタッチパネルが重ねられた表示パネルは、入力部１４０であるとともに表示部１３
０でもある。
【０１３２】
本実施の形態では、情報処理装置１００が検知部１５０を備え、検知部１５０が供給する
検知情報ＳＥＮＳに基づいて起点情報を決定する点が実施の形態１で説明する情報処理装
置１００とは異なる。ここでは異なる構成について詳細に説明し、同様の構成を用いるこ
とができる部分は、上記の説明を援用する。
【０１３３】
《入出力装置》
入出力装置１２０は、検知情報ＳＥＮＳを供給し、画像情報ＶＩＤＥＯを供給される。
【０１３４】
入出力装置１２０は、検知部１５０および表示部１３０を有する。
【０１３５】
また、入力部１４０または通信部１６０を備えていてもよい。
【０１３６】
《検知部》
検知部１５０は、情報処理装置１００または／およびその周囲の状態を検知して検知情報
ＳＥＮＳを供給する。
【０１３７】
検知部１５０は、加速度センサ１５１の他、例えば方位、圧力、ＧＰＳ（Ｇｌｏｂａｌ  
ｐｏｓｉｔｉｏｎｉｎｇ  Ｓｙｓｔｅｍ）信号、温度または湿度等を検知して、その情報
を含む検知情報ＳＥＮＳを供給してもよい。
【０１３８】
《演算装置》
演算装置１１０は、検知情報ＳＥＮＳが供給され、画像情報ＶＩＤＥＯを供給する。
【０１３９】
《演算部》
演算部１１１は、記憶部１１２が記憶するプログラムに記された命令等を実行する。例え
ば、プログラムを実行し、検知情報ＳＥＮＳに基づいて画像情報ＶＩＤＥＯを生成する。
【０１４０】
《プログラムの例》
番号Ｑと関連付けられた画像から番号（Ｑ＋Ｒ−１）と関連付けられた画像まで合計Ｒ個
の画像を１からＰまでの番号と関連付けられたＰ個の画像から選択し、選択されたた画像
を番号順に配置した画像情報ＶＩＤＥＯを生成するプログラムを説明する（図２および図
３参照）。
【０１４１】
なお、Ｐ、ＱおよびＲはいずれも２以上の自然数であり、ＱはＰ以下であり且つＲはＰよ
り小さいとする。また、本実施の形態では、Ｑを起点情報という。
【０１４２】
具体的には、第１のステップにおいて、Ｑを検知情報ＳＥＮＳに基づいて決定する（図２
（Ｚ１）、図３（Ａ−１）および図３（Ｂ−１）参照）。
【０１４３】
例えば、加速度センサ１５１を備える検知部１５０を情報処理装置１００に配置して、情
報処理装置１００の傾きに応じてＱの値を供給し決定する操作命令ＯＰＥを与えてもよい
。
【０１４４】
具体的には、情報処理装置１００を大きく傾けるほど、Ｑの値を大きな値に更新する操作
命令ＯＰＥを供給してもよい。または、情報処理装置１００を手前側に傾けるとＱの値を
増加し、情報処理装置１００を奥側に傾けるとＱの値を減少する操作命令ＯＰＥを供給し
てもよい。または、情報処理装置１００を傾ける方向毎に異なる操作命令を関連付けるこ
とができる。なお、異なる操作命令としては、実施の形態１で例示した操作命令などを挙
げることができる。
【０１４５】
第２のステップ乃至第６のステップにおいてする処理は、実施の形態１で図２および図３
を用いて説明するプログラムの例と同じであるため説明を省略する。
【０１４６】
＜情報処理装置の構成例２．＞
本発明の一態様の情報処理装置の別の構成について、図４および図５（Ｂ）を参照しなが
ら説明する。
【０１４７】
図４および図５（Ｂ）は本発明の一態様の情報処理装置１００が有する演算装置１１０の
演算部１１１に実行させるプログラムを説明するフロー図である。
【０１４８】
本実施の形態で説明する情報処理装置１００は、検知情報ＳＥＮＳを供給し、画像情報Ｖ
ＩＤＥＯを供給される、入出力装置１２０と、検知情報ＳＥＮＳを供給され、画像情報Ｖ
ＩＤＥＯを供給する演算装置１１０と、を有する。
【０１４９】
入出力装置は、検知情報を供給する検知部および画像情報を供給され画像情報を表示する
表示部を備える（図１参照）。
【０１５０】
演算装置は、演算部および演算部に実行させるプログラムを記憶する記憶部を備える。
【０１５１】
ここでは、情報処理装置１００が有する演算装置１１０の記憶部１１２が記憶する、演算
部１１１に実行させるプログラムについて詳細に説明し、他の構成は上記の説明を援用す
る。
【０１５２】
《プログラムの例》
ここでは、記憶部１１２が記憶するプログラムの一例を説明する。
【０１５３】
第１のステップにおいて、初期画像情報を生成する（図４（Ｓ１））。
【０１５４】
第２のステップにおいて、割り込み処理を許可する（図４（Ｓ２））。
【０１５５】
第３のステップにおいて、画像情報を表示する（図４（Ｓ３））。
【０１５６】
第４のステップにおいて、割り込み処理において、終了命令が供給された場合は第５のス
テップに進み、供給されなかった場合は第３のステップに進む（図４（Ｓ４））。
【０１５７】
第５のステップにおいて、終了する（図４（Ｓ５））。
【０１５８】
また、割り込み処理は下記のステップを具備する。
【０１５９】
第６のステップにおいて、検知情報が供給された場合は、第７のステップに進み、供給さ
れない場合は第１０のステップに進む（図５（Ｂ）（Ｕ６））。
【０１６０】
第７のステップにおいて、検知情報に基づいて起点情報を更新する（図５（Ｂ）（Ｕ７）
）。
【０１６１】
第８のステップにおいて、起点情報に基づいて所定の数の画像を選択する（図５（Ｂ）（
Ｕ８））。
【０１６２】
第９のステップにおいて、画像情報を生成する（図５（Ｂ）（Ｕ９））。
【０１６３】
第１０のステップにおいて、割り込み処理から復帰する（図５（Ｂ）（Ｕ１０））。
【０１６４】
情報処理装置１００は、検知情報ＳＥＮＳを供給する入出力装置１２０と、検知情報ＳＥ
ＮＳに基づいて起点情報を決定し、起点情報を用いて画像情報ＶＩＤＥＯを生成する演算
装置１１０と、画像情報ＶＩＤＥＯを表示する表示部１３０と、を含んで構成される。こ
れにより、起点情報に基づいて複数の画像から選択された複数の画像を表示部１３０に所
定の順番で表示することができる。その結果、所定の順番に並べられた複数の画像を表示
できる新規な情報処理装置を提供することができる。または、新規な情報表示方法を提供
することができる。または、新規なプログラムを提供することができる。
【０１６５】
なお、本実施の形態は、本明細書で示す他の実施の形態と適宜組み合わせることができる
。
【０１６６】
（実施の形態３）
本実施の形態では、本発明の一態様の情報処理装置の構成について、図１乃至図４および
図６を参照しながら説明する。
【０１６７】
＜情報処理装置の構成例１＞
本実施の形態で説明する情報処理装置１００は、操作命令ＯＰＥおよび検知情報ＳＥＮＳ
を供給し、画像情報ＶＩＤＥＯを供給される、入出力装置１２０と、操作命令ＯＰＥおよ
び検知情報ＳＥＮＳを供給され、画像情報ＶＩＤＥＯを供給する演算装置１１０と、を有
する（図１参照）。
【０１６８】
入出力装置１２０は、操作命令ＯＰＥを供給する入力部１４０および検知情報ＳＥＮＳを
供給する検知部１５０並びに画像情報ＶＩＤＥＯを供給され画像情報ＶＩＤＥＯを表示す
る表示部１３０を備える。
【０１６９】
演算装置１１０は、操作命令ＯＰＥおよび検知情報ＳＥＮＳに基づいて起点情報を決定し
、起点情報に基づいて複数の画像を選択し且つ所定の順番で配置して画像情報ＶＩＤＥＯ
を生成する。
【０１７０】
情報処理装置１００は、入力部１４０が供給する操作命令ＯＰＥおよび／または検知部１
５０が供給する検知情報ＳＥＮＳに基づいて起点情報を決定し且つ起点情報に基づいて画
像情報ＶＩＤＥＯを生成する演算装置１１０と、画像情報ＶＩＤＥＯを表示する表示部１
３０と、を含んで構成される。これにより、起点情報に基づいて複数の画像から選択され
た複数の画像を表示部１３０に所定の順番で表示することができる。その結果、所定の順
番に並べられた複数の画像を表示できる新規な情報処理装置を提供することができる。ま
たは、新規な情報表示方法を提供することができる。
【０１７１】
演算装置１１０は、演算部１１１、記憶部１１２、伝送路１１４および入出力インターフ
ェース１１５を備える。
【０１７２】
以下に、情報処理装置１００を構成する個々の要素について説明する。なお、これらの構
成は明確に分離できず、一つの構成が他の構成を兼ねる場合や他の構成の一部を含む場合
がある。
【０１７３】
例えばタッチパネルが重ねられた表示パネルは、入力部１４０であるとともに表示部１３
０でもある。
【０１７４】
本実施の形態では、情報処理装置１００が入力部１４０および検知部１５０を備え、入力
部１４０が供給する操作命令ＯＰＥおよび検知部１５０が供給する検知情報ＳＥＮＳに基
づいて起点情報を決定する点が実施の形態１または実施の形態２で説明する情報処理装置
１００とは異なる。ここでは異なる構成について詳細に説明し、同様の構成を用いること
ができる部分は、上記の説明を援用する。
【０１７５】
《入出力装置》
入出力装置１２０は、操作命令ＯＰＥおよび検知情報ＳＥＮＳを供給し、画像情報ＶＩＤ
ＥＯを供給される。
【０１７６】
入出力装置１２０は、入力部１４０、検知部１５０および表示部１３０を有する。
【０１７７】
また、通信部１６０を備えていてもよい。
【０１７８】
《演算装置》
演算装置１１０は、操作命令ＯＰＥおよび検知情報ＳＥＮＳが供給され、画像情報ＶＩＤ
ＥＯを供給する。
【０１７９】
《演算部》
演算部１１１は、記憶部１１２が記憶するプログラムに記された命令等を実行する。例え
ば、プログラムを実行し、操作命令ＯＰＥおよび検知情報ＳＥＮＳに基づいて画像情報Ｖ
ＩＤＥＯを生成する。
【０１８０】
《プログラムの例》
番号Ｑと関連付けられた画像から番号（Ｑ＋Ｒ−１）と関連付けられた画像まで合計Ｒ個
の画像を１からＰまでの番号と関連付けられたＰ個の画像から選択し、選択された画像を
番号順に配置した画像情報ＶＩＤＥＯを生成するプログラムを説明する（図２および図３
参照）。
【０１８１】
なお、Ｐ、ＱおよびＲはいずれも２以上の自然数であり、ＱはＰ以下であり且つＲはＰよ
り小さいとする。また、本実施の形態では、Ｑを起点情報という。
【０１８２】
具体的には、第１のステップにおいて、Ｑを操作命令ＯＰＥおよび検知情報ＳＥＮＳに基
づいて決定する（図２（Ｚ１）、図３（Ａ−１）および図３（Ｂ−１）参照）。
【０１８３】
例えば、Ｑの値を供給し決定する操作命令ＯＰＥを、キーボード等を用いて与えてもよい
。または、タッチパネルを用いてジェスチャーにより与えてもよい。
【０１８４】
例えば、加速度センサを備える検知部１５０を情報処理装置１００に配置して、情報処理
装置１００の傾きに応じてＱの値を供給し決定する操作命令ＯＰＥを与えてもよい。
【０１８５】
第２のステップ乃至第６のステップにおいてする処理は、実施の形態１または実施の形態
２で図２および図３を用いて説明するプログラムの例と同じであるため説明を省略する。
【０１８６】
＜情報処理装置の構成例２．＞
本発明の一態様の情報処理装置の別の構成について、図４および図６を参照しながら説明
する。
【０１８７】
図４および図６は本発明の一態様の情報処理装置１００が有する演算装置１１０の演算部
１１１に実行させるプログラムを説明するフロー図である。
【０１８８】
ここでは、情報処理装置１００が有する演算装置１１０の記憶部１１２が記憶する、演算
部１１１に実行させるプログラムについて詳細に説明し、同様の構成を用いることができ
る部分は、上記の説明を援用する。
【０１８９】
本実施の形態で説明する情報処理装置１００は、操作命令ＯＰＥおよび検知情報ＳＥＮＳ
を供給し、画像情報ＶＩＤＥＯを供給される、入出力装置１２０と、操作命令ＯＰＥおよ
び検知情報ＳＥＮＳを供給され、画像情報ＶＩＤＥＯを供給する演算装置１１０と、を有
する（図１参照）。
【０１９０】
入出力装置１２０は、操作命令ＯＰＥを供給する入力部１４０および検知情報ＳＥＮＳを
供給する検知部１５０並びに画像情報ＶＩＤＥＯを供給され画像情報ＶＩＤＥＯを表示す
る表示部１３０を備える。
【０１９１】
演算装置１１０は、演算部１１１および演算部１１１に実行させるプログラムを記憶する
記憶部１１２を備える。
【０１９２】
《プログラムの例》
ここでは、記憶部１１２が記憶するプログラムの一例を説明する。
【０１９３】
第１のステップにおいて、初期画像情報を生成する（図４（Ｓ１））。
【０１９４】
第２のステップにおいて、割り込み処理を許可する（図４（Ｓ２））。
【０１９５】
第３のステップにおいて、画像情報を表示する（図４（Ｓ３））。
【０１９６】
第４のステップにおいて、割り込み処理において、終了命令が供給された場合は第５のス
テップに進み、供給されなかった場合は第３のステップに進む（図４（Ｓ４））。
【０１９７】
第５のステップにおいて、処理を終了する（図４（Ｓ５））。
【０１９８】
また、割り込み処理は下記のステップを具備する。
【０１９９】
第６のステップにおいて、操作命令ＯＰＥが供給された場合は、第７のステップに進み、
供給されない場合は第８のステップに進む（図６（Ｖ６））。
【０２００】
第７のステップにおいて、操作命令ＯＰＥに基づいて起点情報を更新する（図６（Ｖ７）
）。
【０２０１】
第８のステップにおいて、検知情報ＳＥＮＳが供給された場合は、第９のステップに進み
、供給されない場合は第１０のステップに進む（図６（Ｖ８））。
【０２０２】
第９のステップにおいて、検知情報ＳＥＮＳに基づいて起点情報を更新する（図６（Ｖ９
））。
【０２０３】
第１０のステップにおいて、ステップ７またはステップ９で起点情報が更新された場合は
、第１１のステップに進み、更新されない場合は第１３のステップに進む（図６（Ｖ１０
））。
【０２０４】
第１１のステップにおいて、更新された起点情報に基づいて所定の数の画像を選択する（
図６（Ｖ１１））。
【０２０５】
第１２のステップにおいて、選択された画像を含む画像情報ＶＩＤＥＯを生成する（図６
（Ｖ１２））。
【０２０６】
第１３のステップにおいて、割り込み処理から復帰する（図６（Ｖ１３））。
【０２０７】
情報処理装置１００は、入力部１４０が供給する操作命令ＯＰＥおよび／または検知部１
５０が供給する検知情報ＳＥＮＳに基づいて起点情報を決定し且つ起点情報を用いて画像
情報ＶＩＤＥＯを生成する演算装置１１０と、画像情報ＶＩＤＥＯＳを表示する表示部１
３０と、を含んで構成される。これにより、起点情報に基づいて複数の画像から選択され
た複数の画像を表示部１３０に所定の順番で表示することができる。その結果、所定の順
番に並べられた複数の画像を表示できる新規な情報処理装置を提供することができる。ま
たは、新規な情報表示方法を提供することができる。または、新規なプログラムを提供す
ることができる。
【０２０８】
なお、本実施の形態は、本明細書で示す他の実施の形態と適宜組み合わせることができる
。
【０２０９】
（実施の形態４）
本実施の形態では、本発明の一態様の情報処理装置の構成について、図７および図８を参
照しながら説明する。
【０２１０】
図７は本発明の一態様の情報処理装置の構成を説明する図である。
【０２１１】
図７（Ａ）は本発明の一態様の情報処理装置１００の外観を説明する図である。
【０２１２】
図７（Ｂ−１）は表示部に表示する画像を演算部に選択させる方法を説明する図であり、
図７（Ｂ−２）は演算部に生成させた画像情報ＶＩＤＥＯを表示部１３０に表示した状態
を説明する模式図である。
【０２１３】
図７（Ｃ−１）は図７（Ｂ−１）を用いて説明する画像を演算部に選択させる方法とは異
なる方法を説明する図であり、図７（Ｃ−２）は図７（Ｂ−２）を用いて説明する画像を
表示した状態とは異なる状態を説明する図である。
【０２１４】
図８は本発明の一態様の情報処理装置の構成を説明する側面図である。
【０２１５】
図８（Ｂ）は、図８（Ａ）に示す本発明の一態様の情報処理装置１００が環の中心の周り
に角度ω回転した状態の外観を説明する側面図である。
【０２１６】
＜情報処理装置の構成例１＞
本実施の形態で説明する情報処理装置１００は、表示部１３０が可撓性を備え、環状にす
ることができる筐体１０１に表示部１３０が配設される構成を有する他は、実施の形態１
乃至実施の形態３で説明する情報処理装置１００と同様の構成を備える。
【０２１７】
情報処理装置１００は、環状の筐体１０１に配置された表示部１３０を含んで構成される
。これにより、起点情報に基づいて複数の画像から選択された複数の画像を環状の筐体１
０１に沿って配置された表示部１３０に所定の順番で表示することができる。その結果、
所定の順番に並べられた複数の画像を表示できる新規な情報処理装置を提供することがで
きる。または、新規な情報表示方法を提供することができる。
【０２１８】
また、情報処理装置１００は、表示部１３０に重なる入力部１４０と、筐体１０１を閉環
された状態または開環された状態にすることができる係り止め具１０２と、を有する。
【０２１９】
以下に、情報処理装置１００を構成する個々の要素について説明する。なお、これらの構
成は明確に分離できず、一つの構成が他の構成を兼ねる場合や他の構成の一部を含む場合
がある。
【０２２０】
例えばタッチパネルが重ねられた表示パネルは、入力部１４０であるとともに表示部１３
０でもある。
【０２２１】
なお、本実施の形態で説明する情報処理装置１００は、入出力装置１２０および演算装置
１１０を収納する筐体１０１を有する点、筐体１０１を閉環された状態または開環された
状態にすることができる係り止め具１０２を備える点、表示部１３０が可撓性を備え且つ
閉環された状態の筐体１０１の外周に画像を表示できるように配置されている点、表示部
１３０に重なる入力部１４０を備える点が、実施の形態１乃至実施の形態３で説明する情
報処理装置１００とは異なる。ここでは異なる構成について詳細に説明し、同様の構成を
用いることができる部分は、上記の説明を援用する。
【０２２２】
《筐体および係り止め具》
筐体１０１は、帯状、バンド状またはベルト状であり、環状にすることができる。また、
内部に入出力装置１２０および演算装置１１０を収納する（図７（Ａ）参照）。
【０２２３】
筐体１０１は、係り止め具１０２を具備し、係り止め具１０２は、筐体１０１を閉環され
た状態または開環された状態にすることができる（図７（Ｂ−２）および図７（Ｃ−２）
参照）。
【０２２４】
使用者は、筐体１０１を有する情報処理装置１００を、例えば腕時計のように身につける
ことができる。
【０２２５】
《表示部》
表示部１３０は、可撓性を備え且つ環状にされた状態の筐体１０１の外周に画像を表示で
きるように配置されている。
【０２２６】
表示部１３０は表示素子を備える。様々な表示素子、例えば、有機エレクトロルミネッセ
ンス素子、電気泳動方式や電子粉流体方式などにより表示を行う表示素子（電子インクと
もいう）、シャッター方式のＭＥＭＳ表示素子、光干渉方式のＭＥＭＳ表示素子等を表示
部１３０に適用できる。なお、適用する表示素子に好適な構成を様々な画素回路から選択
して用いることができる。
【０２２７】
なお、表示部１３０に適用可能な具体的な構成例を、実施の形態６および実施の形態７に
記載して説明する。
【０２２８】
《入力部》
入力部１４０は近接または接触する指やスタイラス等を検知する検知器を備え、入力部１
４０は表示部１３０と重なる位置に配置されている。これにより、入力部１４０に近接ま
たは接触する指等の座標と表示部１３０に表示される画像の座標を関連付けることができ
る。なお、表示部１３０と重ねて配置された入力部１４０は、タッチパネルということが
できる。
【０２２９】
例えば、静電容量素子や光電変換素子等を入力部１４０の検知器に適用できる。
【０２３０】
例えば、入力部１４０に触れた指をポインタに用いてするジェスチャー（タップ、ドラッ
グ、スワイプまたはピンチイン等）を入力部１４０が検知して、操作命令ＯＰＥを供給す
ることができる。
【０２３１】
なお、入力部１４０が入力部１４０に接触する指等の座標情報を供給し、座標情報を供給
された演算装置１１０が解析し、あらかじめ関連付けられた操作命令ＯＰＥを呼び出して
もよい。
【０２３２】
《画像情報ＶＩＤＥＯを生成する方法１》
表示部１３０に表示する画像情報ＶＩＤＥＯを演算部１１１に生成させる方法について、
図７（Ｂ−１）および図７（Ｂ−２）を参照しながら説明する。
【０２３３】
第１のステップにおいて、初期画像情報を表示部１３０に表示する。
【０２３４】
第２のステップにおいて、一の画像を初期画像情報から選択し、入力部１４０は起点情報
を更新する操作命令ＯＰＥを供給する。
【０２３５】
例えば、情報処理装置１００の使用者は、一の画像が表示された表示部１３０と重なる入
力部１４０に指を触れ、入力部１４０は指が触れた部分の座標情報を供給する。初期画像
情報に含まれる複数の画像の座標情報と供給された座標情報を照らし合わせて、座標情報
が指し示す画像に関連付けられた番号を特定する。
【０２３６】
第３のステップにおいて、起点情報を番号Ｑに更新する。
【０２３７】
第４のステップにおいて、番号Ｑから番号（Ｑ＋Ｒ−１）までのそれぞれの番号に関連付
けられた合計Ｒ個の画像を選択し、Ｒ個の画像を番号順に配置して画像情報ＶＩＤＥＯを
生成する（図７（Ｂ−１）参照）。
【０２３８】
具体的には、画像情報ＶＩＤＥＯは、一方の端部に番号Ｑと関連付けられた画像が配置さ
れ、他方の端部に番号（Ｑ＋Ｒ−１）と関連付けられた画像が配置されている。
【０２３９】
第５のステップにおいて、表示部１３０は画像情報ＶＩＤＥＯを供給され、表示する（図
７（Ｂ−２）参照）。
【０２４０】
《画像情報ＶＩＤＥＯを生成する方法２》
表示部１３０に表示する画像情報ＶＩＤＥＯを演算部１１１に生成させる他の方法につい
て、図７（Ｃ−１）および図７（Ｃ−２）を参照しながら説明する。
【０２４１】
なお、ここで説明する方法は、第４のステップ以降が上記で説明する方法と異なる。ここ
では異なるステップについて詳細に説明し、同様のステップを用いることができる部分は
、上記の説明を援用する
【０２４２】
第４のステップにおいて、番号（Ｑ−ｒ（１））から番号（Ｑ＋ｒ（２）−１）までのそ
れぞれの番号に関連付けられた合計Ｒ個の画像を選択し、Ｒ個の画像を番号順に配置して
画像情報ＶＩＤＥＯを生成する（図７（Ｃ−１）参照）。なお、ｒ（１）、ｒ（２）はい
ずれも自然数であり、ｒ（１）＋ｒ（２）＝Ｒである。
【０２４３】
具体的には、画像情報ＶＩＤＥＯは、一方の端部に番号（Ｑ−ｒ（１））と関連付けられ
た画像が配置され、他方の端部に番号（Ｑ＋ｒ（２）−１）と関連付けられた画像が配置
されている。
【０２４４】
第５のステップにおいて、表示部１３０は画像情報ＶＩＤＥＯを供給され、表示する（図
７（Ｃ−２）参照）。
【０２４５】
《画像情報ＶＩＤＥＯを生成する方法３》
表示部１３０に表示する画像情報ＶＩＤＥＯを演算部１１１に生成させる他の方法につい
て、図８を参照しながら説明する。
【０２４６】
具体的には、環状にされた状態で画像情報ＶＩＤＥＯを外側に向けて表示することができ
る情報処理装置１００の表示部に、情報処理装置１００を環の中心の周りに回転しても所
定の画像が所定の方向に表示されるように、画像情報ＶＩＤＥＯを生成する方法について
説明する。
【０２４７】
情報処理装置１００は、情報処理装置１００の傾きを検知することができる加速度センサ
１５１を係り止め具１０２の近傍に備える。
【０２４８】
係り止め具１０２が最下部に配置された状態の情報処理装置１００の側面図を図８（Ａ）
に示す。なお、一点鎖線Ｌは環状の筐体１０１の中心を通る垂線である。
【０２４９】
起点情報と関連付けられた画像が垂線Ｌからθだけ傾く方向に表示されている。言い換え
ると、番号Ｑと関連付けられた画像が垂線Ｌからθだけ傾く方向に配置されている。
【０２５０】
係り止め具１０２が垂線Ｌから角度ωの位置まで回転した状態の側面図を図８（Ｂ）に示
す。なお、加速度センサ１５１は角度ωを検知する。
【０２５１】
第１のステップにおいて、加速度センサ１５１が検知する角度ωを含む検知情報ＳＥＮＳ
が供給される。
【０２５２】
第２のステップにおいて、角度ωが所定の値を超えると、演算部１１１は角度ωを相殺す
るように画像情報ＶＩＤＥＯを生成する。
【０２５３】
例えば、図８（Ｂ）に示す状態の情報処理装置１００のように、図８（Ａ）に示す状態よ
り角度ωだけ左に回転している場合、角度ωを相殺するように右に回転した位置に番号Ｑ
と関連付けられた画像が表示されるように画像情報ＶＩＤＥＯを生成する。これにより、
情報処理装置１００を環の中心の周りに回転しても番号Ｑと関連付けられた画像が垂線Ｌ
からθだけ傾く方向に表示することができる。
【０２５４】
なお、本実施の形態は、本明細書で示す他の実施の形態と適宜組み合わせることができる
。
【０２５５】
（実施の形態５）
本実施の形態では、本発明の一態様の情報処理装置の位置入力部および表示装置に適用す
ることができる表示パネルの構成について、図９を参照しながら説明する。なお、本実施
の形態で説明する表示パネルは、タッチセンサ（接触検出装置）を表示部に重ねて備える
ため、タッチパネル（入出力装置）ということができる。
【０２５６】
図９（Ａ）は本発明の一態様の情報処理装置の位置入力部および表示装置に適用可能な表
示パネルの構造を説明する上面図である。
【０２５７】
図９（Ｂ）は図９（Ａ）の切断線Ａ−Ｂおよび切断線Ｃ−Ｄにおける断面図である。
【０２５８】
図９（Ｃ）は図９（Ａ）の切断線Ｅ−Ｆにおける断面図である。
【０２５９】
＜上面図の説明＞
本実施の形態で例示する入出力装置３００は表示部３０１を有する（図９（Ａ）参照）。
【０２６０】
表示部３０１は、複数の画素３０２と複数の撮像画素３０８を備える。撮像画素３０８は
表示部３０１に触れる指等を検知することができる。これにより、撮像画素３０８を用い
てタッチセンサを構成することができる。
【０２６１】
画素３０２は、複数の副画素（例えば副画素３０２Ｒ）を備え、副画素は発光素子および
発光素子を駆動する電力を供給することができる画素回路を備える。
【０２６２】
画素回路は、選択信号を供給することができる配線および画像信号を供給することができ
る配線と、電気的に接続される。
【０２６３】
また、入出力装置３００は選択信号を画素３０２に供給することができる走査線駆動回路
３０３ｇ（１）と、画像信号を画素３０２に供給することができる画像信号線駆動回路３
０３ｓ（１）を備える。なお、折り曲げられる部分を避けて画像信号線駆動回路３０３ｓ
（１）を配置すると、不具合の発生を低減できる。
【０２６４】
撮像画素３０８は、光電変換素子および光電変換素子を駆動する撮像画素回路を備える。
【０２６５】
撮像画素回路は、制御信号を供給することができる配線および電源電位を供給することが
できる配線と電気的に接続される。
【０２６６】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【０２６７】
入出力装置３００は制御信号を撮像画素３０８に供給することができる撮像画素駆動回路
３０３ｇ（２）と、撮像信号を読み出す撮像信号線駆動回路３０３ｓ（２）を備える。な
お、撮像信号線駆動回路３０３ｓ（２）を折り曲げられる部分を避けて配置すると、不具
合の発生を低減できる。
【０２６８】
＜断面図の説明＞
入出力装置３００は、基板３１０および基板３１０に対向する対向基板３７０を有する（
図９（Ｂ）参照）。
【０２６９】
基板３１０は、可撓性を有する基板３１０ｂ、意図しない不純物の発光素子への拡散を防
ぐバリア膜３１０ａおよび基板３１０ｂとバリア膜３１０ａを貼り合わせる接着層３１０
ｃが積層された積層体である。
【０２７０】
対向基板３７０は、可撓性を有する基板３７０ｂ、意図しない不純物の発光素子への拡散
を防ぐバリア膜３７０ａおよび基板３７０ｂとバリア膜３７０ａを貼り合わせる接着層３
７０ｃの積層体である（図９（Ｂ）参照）。
【０２７１】
封止材３６０は対向基板３７０と基板３１０を貼り合わせている。また、封止材３６０は
空気より大きい屈折率を備え、光学接合をすることができる層を兼ねる。画素回路および
発光素子（例えば第１の発光素子３５０Ｒ）並びに撮像画素回路および光電変換素子（例
えば光電変換素子３０８ｐ）は基板３１０と対向基板３７０の間にある。
【０２７２】
《画素の構成》
画素３０２は、副画素３０２Ｒ、副画素３０２Ｇおよび副画素３０２Ｂを有する（図９（
Ｃ）参照）。また、副画素３０２Ｒは発光モジュール３８０Ｒを備え、副画素３０２Ｇは
発光モジュール３８０Ｇを備え、副画素３０２Ｂは発光モジュール３８０Ｂを備える。
【０２７３】
例えば副画素３０２Ｒは、第１の発光素子３５０Ｒおよび第１の発光素子３５０Ｒに電力
を供給することができるトランジスタ３０２ｔを含む画素回路を備える（図９（Ｂ）参照
）。また、発光モジュール３８０Ｒは第１の発光素子３５０Ｒおよび光学素子（例えば着
色層３６７Ｒ）を備える。
【０２７４】
トランジスタ３０２ｔは半導体層を含む。アモルファスシリコン膜、低温ポリシリコン膜
、単結晶シリコン膜、酸化物半導体膜等、様々な半導体膜をトランジスタ３０２ｔの半導
体層に適用できる。また、トランジスタ３０２ｔはバッグゲート電極を備えていてもよく
、バックゲート電極を用いてトランジスタ３０２ｔの閾値を制御してもよい。
【０２７５】
発光素子３５０Ｒは、第１の下部電極３５１Ｒ、上部電極３５２、下部電極３５１Ｒと上
部電極３５２の間に発光性の有機化合物を含む層３５３を有する（図９（Ｃ）参照）。
【０２７６】
発光性の有機化合物を含む層３５３は、発光ユニット３５３ａ、発光ユニット３５３ｂお
よび発光ユニット３５３ａと発光ユニット３５３ｂの間に中間層３５４を備える。
【０２７７】
発光モジュール３８０Ｒは、第１の着色層３６７Ｒを対向基板３７０に有する。着色層は
特定の波長を有する光を透過するものであればよく、例えば赤色、緑色または青色等を呈
する光を選択的に透過するものを用いることができる。または、発光素子の発する光をそ
のまま透過する領域を設けてもよい。
【０２７８】
例えば、発光モジュール３８０Ｒは、第１の発光素子３５０Ｒと第１の着色層３６７Ｒに
接する封止材３６０を有する。
【０２７９】
第１の着色層３６７Ｒは第１の発光素子３５０Ｒと重なる位置にある。これにより、発光
素子３５０Ｒが発する光の一部は、光学接合をすることができる層を兼ねる封止材３６０
および第１の着色層３６７Ｒを透過して、図中の矢印に示すように発光モジュール３８０
Ｒの外部に射出される。
【０２８０】
《入出力装置の構成》
入出力装置３００は、遮光層３６７ＢＭを対向基板３７０に有する。遮光層３６７ＢＭは
、着色層（例えば第１の着色層３６７Ｒ）を囲むように設けられている。
【０２８１】
入出力装置３００は、反射防止層３６７ｐを表示部３０１に重なる位置に備える。反射防
止層３６７ｐとして、例えば円偏光板を用いることができる。
【０２８２】
入出力装置３００は、絶縁膜３２１を備える。絶縁膜３２１はトランジスタ３０２ｔを覆
っている。なお、絶縁膜３２１は画素回路に起因する凹凸を平坦化するための層として用
いることができる。また、不純物のトランジスタ３０２ｔ等への拡散を抑制することがで
きる層が積層された絶縁膜を、絶縁膜３２１に適用することができる。
【０２８３】
入出力装置３００は、発光素子（例えば第１の発光素子３５０Ｒ）を絶縁膜３２１上に有
する。
【０２８４】
入出力装置３００は、第１の下部電極３５１Ｒの端部に重なる隔壁３２８を絶縁膜３２１
上に有する（図９（Ｃ）参照）。また、基板３１０と対向基板３７０の間隔を制御するス
ペーサ３２９を、隔壁３２８上に有する。
【０２８５】
《画像信号線駆動回路の構成》
画像信号線駆動回路３０３ｓ（１）は、トランジスタ３０３ｔおよび容量３０３ｃを含む
。なお、画像信号線駆動回路３０３ｓ（１）は画素回路と同一の工程で同一基板上に形成
することができる。
【０２８６】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【０２８７】
例えばｐｉｎ型のフォトダイオードを光電変換素子３０８ｐに用いることができる。
【０２８８】
《他の構成》
入出力装置３００は、信号を供給することができる配線３１１を備え、端子３１９が配線
３１１に設けられている。なお、画像信号および同期信号等の信号を供給することができ
るＦＰＣ３０９（１）が端子３１９に電気的に接続されている。また、好ましくは、入出
力装置３００の折り曲げられる部分を避けてＦＰＣ３０９（１）を配置する。また、表示
部３０１を囲む領域から選ばれた一辺、特に折り畳まれる辺（図では長い辺）のおよそ中
央にＦＰＣ３０９（１）を配置すると好ましい。これにより、入出力装置３００と入出力
装置３００を駆動する外部回路の距離を短くすることができ、接続が容易になる。また、
外部回路の重心を入出力装置３００の重心におよそ一致させることができる。その結果、
情報処理装置の取り扱いが容易になり、誤って落としてしまう等の不具合の発生を予防す
ることができる。
【０２８９】
なお、ＦＰＣ３０９（１）にはプリント配線基板（ＰＷＢ）が取り付けられていても良い
。
【０２９０】
なお、表示素子として、発光素子を用いた場合の例を示したが、本発明の実施形態の一態
様は、これに限定されない。
【０２９１】
例えば、本明細書等において、表示素子、表示素子を有する装置である表示装置、発光素
子、及び発光素子を有する装置である発光装置は、様々な形態を用いること、又は様々な
素子を有することが出来る。表示素子、表示装置、発光素子又は発光装置の一例としては
、ＥＬ（エレクトロルミネッセンス）素子（有機物及び無機物を含むＥＬ素子、有機ＥＬ
素子、無機ＥＬ素子）、ＬＥＤ（白色ＬＥＤ、赤色ＬＥＤ、緑色ＬＥＤ、青色ＬＥＤなど
）、トランジスタ（電流に応じて発光するトランジスタ）、電子放出素子、液晶素子、電
子インク、電気泳動素子、グレーティングライトバルブ（ＧＬＶ）、プラズマディスプレ
イ（ＰＤＰ）、ＭＥＭＳ（マイクロ・エレクトロ・メカニカル・システム）、デジタルマ
イクロミラーデバイス（ＤＭＤ）、ＤＭＳ（デジタル・マイクロ・シャッター）、ＭＩＲ
ＡＳＯＬ（登録商標）、ＩＭＯＤ（インターフェアレンス・モジュレーション）素子、エ
レクトロウェッティング素子、圧電セラミックディスプレイ、カーボンナノチューブ、な
ど、電気磁気的作用により、コントラスト、輝度、反射率、透過率などが変化する表示媒
体を有するものがある。ＥＬ素子を用いた表示装置の一例としては、ＥＬディスプレイな
どがある。電子放出素子を用いた表示装置の一例としては、フィールドエミッションディ
スプレイ（ＦＥＤ）又はＳＥＤ方式平面型ディスプレイ（ＳＥＤ：Ｓｕｒｆａｃｅ−ｃｏ
ｎｄｕｃｔｉｏｎ  Ｅｌｅｃｔｒｏｎ−ｅｍｉｔｔｅｒ  Ｄｉｓｐｌａｙ）などがある。
液晶素子を用いた表示装置の一例としては、液晶ディスプレイ（透過型液晶ディスプレイ
、半透過型液晶ディスプレイ、反射型液晶ディスプレイ、直視型液晶ディスプレイ、投射
型液晶ディスプレイ）などがある。電子インク又は電気泳動素子を用いた表示装置の一例
としては、電子ペーパーなどがある。
【０２９２】
なお、本実施の形態は、本明細書で示す他の実施の形態と適宜組み合わせることができる
。
【０２９３】
（実施の形態６）
本実施の形態では、本発明の一態様の情報処理装置の位置入力部および表示装置に適用す
ることができる表示パネルの構成について、図１０および図１１を参照しながら説明する
。なお、本実施の形態で説明する表示パネルは、タッチセンサ（接触検出装置）を表示部
に重ねて備えるため、タッチパネル（入出力装置）ということができる。
【０２９４】
図１０（Ａ）は、本実施の形態で例示するタッチパネル５００の斜視概略図である。なお
明瞭化のため、代表的な構成要素を図１０に示す。図１０（Ｂ）は、タッチパネル５００
を展開した斜視概略図である。
【０２９５】
図１１は、図１０（Ａ）に示すタッチパネル５００のＸ１−Ｘ２における断面図である。
【０２９６】
タッチパネル５００は、表示部５０１とタッチセンサ５９５を備える（図１０（Ｂ）参照
）。また、タッチパネル５００は、基板５１０、基板５７０および基板５９０を有する。
なお、一例としては、基板５１０、基板５７０および基板５９０はいずれも可撓性を有す
る。
【０２９７】
例えば、本明細書等において、様々な基板を用いて、トランジスタを形成することが出来
る。基板の種類は、特定のものに限定されることはない。その基板の一例としては、半導
体基板（例えば単結晶基板又はシリコン基板）、ＳＯＩ基板、ガラス基板、石英基板、プ
ラスチック基板、金属基板、ステンレス・スチル基板、ステンレス・スチル・ホイルを有
する基板、タングステン基板、タングステン・ホイルを有する基板、可撓性基板、貼り合
わせフィルム、繊維状の材料を含む紙、又は基材フィルムなどがある。ガラス基板の一例
としては、バリウムホウケイ酸ガラス、アルミノホウケイ酸ガラス、又はソーダライムガ
ラスなどがある。可撓性基板の一例としては、ポリエチレンテレフタレート（ＰＥＴ）、
ポリエチレンナフタレート（ＰＥＮ）、ポリエーテルサルフォン（ＰＥＳ）に代表される
プラスチック、又はアクリル等の可撓性を有する合成樹脂などがある。貼り合わせフィル
ムの一例としては、ポリプロピレン、ポリエステル、ポリフッ化ビニル、又はポリ塩化ビ
ニルなどがある。基材フィルムの一例としては、ポリエステル、ポリアミド、ポリイミド
、無機蒸着フィルム、又は紙類などがある。特に、半導体基板、単結晶基板、又はＳＯＩ
基板などを用いてトランジスタを製造することによって、特性、サイズ、又は形状などの
ばらつきが少なく、電流能力が高く、サイズの小さいトランジスタを製造することができ
る。このようなトランジスタによって回路を構成すると、回路の低消費電力化、又は回路
の高集積化を図ることができる。
【０２９８】
表示部５０１は、基板５１０、基板５１０上に複数の画素および画素に信号を供給するこ
とができる複数の配線５１１を備える。複数の配線５１１は、基板５１０の外周部にまで
引き回され、その一部が端子５１９を構成している。端子５１９はＦＰＣ５０９（１）と
電気的に接続する。
【０２９９】
＜タッチセンサ＞
基板５９０には、タッチセンサ５９５と、タッチセンサ５９５と電気的に接続する複数の
配線５９８を備える。複数の配線５９８は基板５９０の外周部に引き回され、その一部が
ＦＰＣ５０９（２）と電気的に接続するための端子を構成している。なお、図１０（Ｂ）
では明瞭化のため、基板５９０の裏面側（紙面奥側）に設けられるタッチセンサ５９５の
電極や配線等を実線で示している。
【０３００】
タッチセンサ５９５に用いるタッチセンサとしては、静電容量方式のタッチセンサが好ま
しい。静電容量方式としては、表面型静電容量方式、投影型静電容量方式等があり、投影
型静電容量方式としては、主に駆動方式の違いから自己容量方式、相互容量方式などがあ
る。相互容量方式を用いると同時多点検出が可能となるため好ましい。
【０３０１】
以下では、投影型静電容量方式のタッチセンサを適用する場合について、図１０（Ｂ）を
用いて説明するが、指等の検知対象の近接または接触を検知することができるさまざまな
センサを適用することができる。
【０３０２】
投影型静電容量方式のタッチセンサ５９５は、電極５９１と電極５９２を有する。電極５
９１は複数の配線５９８のいずれかと電気的に接続し、電極５９２は複数の配線５９８の
他のいずれかと電気的に接続する。
【０３０３】
電極５９２は、図１０（Ａ）、（Ｂ）に示すように、複数の四辺形が一方向に連続した形
状を有する。また、電極５９１は四辺形である。配線５９４は、電極５９２が延在する方
向と交差する方向に並んだ二つの電極５９１を電気的に接続している。このとき、電極５
９２と配線５９４の交差部の面積ができるだけ小さくなる形状が好ましい。これにより、
電極が設けられていない領域の面積を低減でき、透過率のムラを低減できる。その結果、
タッチセンサ５９５を透過する光の輝度ムラを低減することができる。
【０３０４】
なお、電極５９１、電極５９２の形状はこれに限られず、様々な形状を取りうる。例えば
、複数の電極５９１をできるだけ隙間が生じないように配置し、絶縁層を介して電極５９
２を、電極５９１と重ならない領域ができるように離間して複数設ける構成としてもよい
。このとき、隣接する２つの電極５９２の間に、これらとは電気的に絶縁されたダミー電
極を設けると、透過率の異なる領域の面積を低減できるため好ましい。
【０３０５】
タッチパネル５００の構成を、図１１を用いて説明する。
【０３０６】
タッチセンサ５９５は、基板５９０、基板５９０上に千鳥状に配置された電極５９１及び
電極５９２、電極５９１及び電極５９２を覆う絶縁層５９３並びに隣り合う電極５９１を
電気的に接続する配線５９４を備える。
【０３０７】
接着層５９７は、タッチセンサ５９５と表示部５０１が重なるように基板５９０と基板５
７０を貼り合わせている。
【０３０８】
電極５９１及び電極５９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。
【０３０９】
透光性を有する導電性材料を基板５９０上にスパッタリング法により成膜した後、フォト
リソグラフィ法等の様々なパターニング技術により、不要な部分を除去して、電極５９１
及び電極５９２を形成することができる。
【０３１０】
また、絶縁層５９３は電極５９１及び電極５９２を覆う。絶縁層５９３に用いる材料とし
ては、例えば、アクリル、エポキシなどの樹脂、シロキサン結合を有する樹脂の他、酸化
シリコン、酸化窒化シリコン、酸化アルミニウムなどの無機絶縁材料を用いることもでき
る。
【０３１１】
また、電極５９１に達する開口が絶縁層５９３に設けられ、配線５９４が隣接する電極５
９１を電気的に接続する。透光性の導電性材料を用いて形成された配線５９４は、タッチ
パネルの開口率を高まることができるため好ましい。また、電極５９１及び電極５９２よ
り導電性の高い材料を配線５９４に用いることが好ましい。
【０３１２】
一の電極５９２は一方向に延在し、複数の電極５９２がストライプ状に設けられている。
【０３１３】
配線５９４は電極５９２と交差して設けられている。
【０３１４】
一対の電極５９１が一の電極５９２を挟んで設けられ、配線５９４に電気的に接続されて
いる。
【０３１５】
なお、複数の電極５９１は、一の電極５９２と必ずしも直交する方向に配置される必要は
なく、９０度未満の角度をなすように配置されてもよい。
【０３１６】
一の配線５９８は、電極５９１又は電極５９２と電気的に接続される。配線５９８の一部
は、端子として機能する。配線５９８としては、例えば、アルミニウム、金、白金、銀、
ニッケル、チタン、タングステン、クロム、モリブデン、鉄、コバルト、銅、又はパラジ
ウム等の金属材料や、該金属材料を含む合金材料を用いることができる。
【０３１７】
なお、絶縁層５９３及び配線５９４を覆う絶縁層を設けて、タッチセンサ５９５を保護す
ることができる。
【０３１８】
また、接続層５９９は、配線５９８とＦＰＣ５０９（２）を電気的に接続する。
【０３１９】
接続層５９９としては、様々な異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０３２０】
接着層５９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０３２１】
＜表示部＞
タッチパネル５００は、マトリクス状に配置された複数の画素を備える。画素は表示素子
と表示素子を駆動する画素回路を備える。
【０３２２】
本実施の形態では、白色の有機エレクトロルミネッセンス素子を表示素子に適用する場合
について説明するが、表示素子はこれに限られない。
【０３２３】
例えば、表示素子として、有機エレクトロルミネッセンス素子の他、電気泳動方式や電子
粉流体方式などにより表示を行う表示素子（電子インクともいう）、シャッター方式のＭ
ＥＭＳ表示素子、光干渉方式のＭＥＭＳ表示素子、液晶素子など、様々な表示素子を用い
ることができる。なお、適用する表示素子に好適な構成を、様々な画素回路から選択して
用いることができる。
【０３２４】
基板５１０は、可撓性を有する基板５１０ｂ、意図しない不純物の発光素子への拡散を防
ぐバリア膜５１０ａおよび基板５１０ｂとバリア膜５１０ａを貼り合わせる接着層５１０
ｃが積層された積層体である。
【０３２５】
基板５７０は、可撓性を有する基板５７０ｂ、意図しない不純物の発光素子への拡散を防
ぐバリア膜５７０ａおよび基板５７０ｂとバリア膜５７０ａを貼り合わせる接着層５７０
ｃの積層体である。
【０３２６】
封止材５６０は基板５７０と基板５１０を貼り合わせている。また、封止材５６０は空気
より大きい屈折率を備え、光学接合をすることができる層を兼ねる。画素回路および発光
素子（例えば第１の発光素子５５０Ｒ）は基板５１０と基板５７０の間にある。
【０３２７】
《画素の構成》
画素は、副画素５０２Ｒを含み、副画素５０２Ｒは発光モジュール５８０Ｒを備える。
【０３２８】
副画素５０２Ｒは、第１の発光素子５５０Ｒおよび第１の発光素子５５０Ｒに電力を供給
することができるトランジスタ５０２ｔを含む画素回路を備える。また、発光モジュール
５８０Ｒは第１の発光素子５５０Ｒおよび光学素子（例えば着色層５６７Ｒ）を備える。
【０３２９】
発光素子５５０Ｒは、下部電極、上部電極、下部電極と上部電極の間に発光性の有機化合
物を含む層を有する。
【０３３０】
発光モジュール５８０Ｒは、第１の着色層５６７Ｒを基板５７０に有する。着色層は特定
の波長を有する光を透過するものであればよく、例えば赤色、緑色または青色等を呈する
光を選択的に透過するものを用いることができる。または、発光素子の発する光をそのま
ま透過する領域を設けてもよい。
【０３３１】
発光モジュール５８０Ｒは、第１の発光素子５５０Ｒと第１の着色層５６７Ｒに接する封
止材５６０を有する。
【０３３２】
第１の着色層５６７Ｒは第１の発光素子５５０Ｒと重なる位置にある。これにより、発光
素子５５０Ｒが発する光の一部は、光学接合をすることができる層を兼ねる封止材５６０
および第１の着色層５６７Ｒを透過して、図中の矢印に示すように発光モジュール５８０
Ｒの外部に射出される。
【０３３３】
《表示部の構成》
表示部５０１は、遮光層５６７ＢＭを基板５７０に有する。遮光層５６７ＢＭは、着色層
（例えば第１の着色層５６７Ｒ）を囲むように設けられている。
【０３３４】
表示部５０１は、反射防止層５６７ｐを画素に重なる位置に備える。反射防止層５６７ｐ
として、例えば円偏光板を用いることができる。
【０３３５】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物のトランジスタ５０２ｔ等への拡散を抑制することができる
層が積層された絶縁膜を、絶縁膜５２１に適用することができる。
【０３３６】
表示部５０１は、発光素子（例えば第１の発光素子５５０Ｒ）を絶縁膜５２１上に有する
。
【０３３７】
表示部５０１は、第１の下部電極の端部に重なる隔壁５２８を絶縁膜５２１上に有する。
また、基板５１０と基板５７０の間隔を制御するスペーサを、隔壁５２８上に有する。
【０３３８】
《画像信号線駆動回路の構成》
画像信号線駆動回路５０３ｓ（１）は、トランジスタ５０３ｔおよび容量５０３ｃを含む
。なお、画像信号線駆動回路５０３ｓ（１）は画素回路と同一の工程で同一基板上に形成
することができる。
【０３３９】
《他の構成》
表示部５０１は、信号を供給することができる配線５１１を備え、端子５１９が配線５１
１に設けられている。なお、画像信号および同期信号等の信号を供給することができるＦ
ＰＣ５０９（１）が端子５１９に電気的に接続されている。
【０３４０】
なお、ＦＰＣ５０９（１）にはプリント配線基板（ＰＷＢ）が取り付けられていても良い
。
【０３４１】
なお、本実施の形態は、本明細書で示す他の実施の形態と適宜組み合わせることができる
。
【符号の説明】
【０３４２】
１００    情報処理装置
１０１    筐体
１０２    係り止め具
１１０    演算装置
１１１    演算部
１１２    記憶部
１１４    伝送路
１１５    入出力インターフェース
１２０    入出力装置
１３０    表示部
１４０    入力部
１５０    検知部
１５１    加速度センサ
１６０    通信部
３００    入出力装置
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光モジュール
３８０Ｇ    発光モジュール
３８０Ｒ    発光モジュール
５００    タッチパネル
５０１    表示部
５０２Ｒ    副画素
５０２ｔ    トランジスタ
５０３ｃ    容量
５０３ｓ    画像信号線駆動回路
５０３ｔ    トランジスタ
５０９    ＦＰＣ
５１０    基板
５１０ａ    バリア膜
５１０ｂ    基板
５１０ｃ    接着層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    接着層
５８０Ｒ    発光モジュール
５９０    基板
５９１    電極
５９２    電極
５９３    絶縁層
５９４    配線
５９５    タッチセンサ
５９７    接着層
５９８    配線
５９９    接続層
【図１】
2019185830.tif 000003
【図２】
2019185830.tif 000004
【図３】
2019185830.tif 000005
【図４】
2019185830.tif 000006
【図５】
2019185830.tif 000007
【図６】
2019185830.tif 000008
【図７】
2019185830.tif 000009
【図８】
2019185830.tif 000010
【図９】
2019185830.tif 000011
【図１０】
2019185830.tif 000012
【図１１】
2019185830.tif 000013